(57)【要約】      （修正有）【課題】背面の外部端子に容易にケーブルを接続することができる表示装置の梱包材及びモニター表示方法を提供する。【解決手段】テレビ受信装置１００が梱包されていた梱包材から鏡台５００ａを組み立てる。鏡台５００ａの鏡板２４０の部分には反射素材シート３００が貼り付けられている。次に、梱包材を用いて設置者６００が最も作業し易い位置に鏡台５００ａを設置すると、外部端子１１０の像が鏡台５００ａの反射素材シート３００に映し出される。次に、大画面薄型モニター１２０に表示される設置者位置指定画面の画像の前に設置者６００が移動すると、視認ルート１０により設置者６００は外部端子１１０の像を確認することができる。外部端子１１０の像が反射素材シート３００のＡ面とＢ面の２回反射されるので、外部端子１１０の文字は反転せずに元の文字の形に戻るので、設置者６００は外部端子１１０の文字をそのまま読み取ることができる。【選択図】図５
2013203463.tif 000002
【特許請求の範囲】
【請求項１】
表示装置を移送する際に緩衝材として使用されると共に、表示装置の外部端子の接続作業を補助する接続作業補助部材を備えた梱包材であって、
前記接続作業補助部材は、
鏡面部材が取り付けられ又は取り付け可能であり、取り付けられた前記鏡面部材を折り曲げて第１反射面と第２反射面を形成するための折り線が設けられ、取り出し可能に設けられた第１部材と、
前記第１部材に固定して前記第１部材の折り曲げ角度を所定角度に保持するために取り出し可能に設けられた第２部材と、
前記第１部材に前記第２部材が固定された組み立て体を、前記表示装置の裏面に設けられた前記外部端子からの光が前記第１反射面と前記第２反射面により前記表示装置の前面側に反射するように前記表示装置に固定するために取り出し可能に設けられた第３部材と、
を備えたことを特徴とする梱包材。
【請求項２】
前記第３部材は、
前記表示装置のモニターの前記外部端子が設けられている側の前記モニターの上側角部分に取り付けられ又は取り付け可能である第４部材と、
前記第１部材の折り線を挟んで第１面側の前記第１部材の上側部分と、前記第４部材の上側部分に取り付けられ、前記第４部材と前記第１部材を所定距離に保持するために取り出し可能に設けられた第５部材と、
前記第１部材の折り線を挟んで第２面側の前記第１部材の上側部分と、前記第４部材の上側部分に取り付けられ、前記第４部材と前記第１部材を所定距離に保持するために取り出し可能に設けられた第６部材と、
を備えたことを特徴とする請求項１に記載の梱包材。
【請求項３】
前記表示装置に前記第１部材の下側部分を保持するために取り出し可能に設けられた第７部材を備えることを特徴とする請求項２に記載の梱包材。
【請求項４】
前記第７部材は、
前記第１部材の折り線を挟んで前記第１面側の前記第１部材の下側部分と、前記表示装置の下側部分に取り付けられ、前記第１部材を保持するために取り出し可能に設けられた第８部材と、
前記第１部材の折り線を挟んで前記第２面側の前記第１部材の下側部分と、前記表示装置の下側部分に取り付けられ、前記第１部材を保持するために取り出し可能に設けられた第９部材と、
を備えたことを特徴とする請求項３に記載の梱包材。
【請求項５】
前記第４部材には、前記第５部材と第６部材を挿入して固定するためのＴ型の溝が設けられていることを特徴とする請求項２から請求項４のいずれか１項に記載の梱包材。
【請求項６】
前記表示装置の前記モニターから放出される光が前記第１部材の前記第１反射面と前記第２反射面に反射して前記外部端子を照射するように前記第１部材を折り曲げて形成される第３反射面が設けられ、
前記第２反射面と前記第３反射面に固定して前記第２反射面と前記第３反射面との角度を所定角度に保持するために、取り出し可能に設けられた第１０部材を備えたことを特徴とする請求項２から請求項５のいずれか１項に記載の梱包材。
【請求項７】
前記鏡面部材は、アルミ蒸着の鏡面仕上げシートであることを特徴とする請求項１から請求項６のいずれか１項に記載の梱包材。
【請求項８】
前記表示装置は、テレビ受信装置であることを特徴とする請求項１から請求項７のいずれか１項に記載の梱包材。
【請求項９】
鏡台を用いて外部端子にケーブルを接続するときに、設置者を外部端子の位置に対応した位置に誘導する画像を画面に表示する画面表示工程を備えることを特徴とする表示装置のモニター表示方法。
【発明の詳細な説明】
【技術分野】
【０００１】
本発明は、表示装置における外部端子を容易に接続することができるようにする接続作業補助部材を備えた梱包材及びモニター表示方法に関する。
【背景技術】
【０００２】
薄型化された大きな画面のモニター（以下、大画面薄型モニターという）を備える表示装置が低価格になったことに伴い、大画面薄型モニターを備えた表示装置が一般家庭に普及している。このような大画面薄型モニターの表示装置で番組を視聴するために、表示装置をできる限り壁に寄せて設置することや、あるいは壁に掛けて設置することが多くなっている。しかし、表示装置の背面に外部端子が設けられていると、壁に寄せて表示装置を設置、または壁に掛けて表示装置を設置した場合、表示装置の背面にスペースが確保できなくなる。従って、設置者は表示装置の背面に回り込むことが難しいので、手探りでケーブルを外部端子に接続しなければならない。しかし、外部端子の位置がわかるまで時間がかかり、また外部端子に複数のコネクタが設けられている場合には、ケーブルの接続先であるコネクタを間違えてしまうことがある。このような場合には、表示装置の動作確認を行い、正常に動作しないときには再度手探りでケーブルの接続状態を確認し、接続先を換えなければならなかった。この対策として、設置者は一旦表示装置を仮置きし、外部端子にケーブルを接続してから設置する場所に表示装置を移動していた。しかし、表示装置を設置する場所に移動しているときにこの大画面薄型モニターが傾いてしまうことでケーブルが引っ張られ外部端子とケーブルの接続部分が外れてしまうことがあった。また、表示装置を設置する場所に移動しているときには、大画面薄型モニターの他にケーブルなどの重量も加わるので、こられを全て持ち上げるためには更に設置者の人数を増やさなければならないことがあった。
【０００３】
入力端子に容易にケーブルを接続する技術として特開２００６−６０３５６号公報（特許文献１）を挙げることができる。特許文献１に開示の技術では、テレビジョン本体と、底板と、テレビジョン本体と底板を連繋する二つの柱と、テレビジョン本体の背面に下向きに備え付けられた少なくとも一つの入出力端子と、テレビジョン本体の背面に下向きに備え付けられた入出力端子の説明を意味する文字若しくは記号を記載した少なくとも一つの反転文字で表示された識別記号シールと、底板の上面に上向きに備え付けられた鏡と、テレビジョン本体の背面の照射を行う電球とで構成されたテレビジョン受像機を開示している。使用者がテレビジョン受像機の前からケーブルを入出力端子に接続する場合は、電球の電源をＯＮにしてテレビジョン本体の背面の照射し、反転文字で表示された識別記号を鏡に映し出すことにより、反転文字を反転させた正規の識別記号を使用者が読み取ることができ、テレビジョン受像機の前から入出力端子にケーブルを設置することが可能となる。
【先行技術文献】
【特許文献】
【０００４】
【特許文献１】特開２００６−６０３５６号公報
【発明の概要】
【発明が解決しようとする課題】
【０００５】
上記のように、特許文献１に開示の技術におけるテレビジョン受像機は、底板を連繋する二つの柱、反転文字で表示された識別記号シール、底板の上面に上向きに備え付けられた鏡、及び電球を備えなければならない。このため、テレビジョン受像機の構造が複雑となり、またテレビジョン本体の組み立て作業が増加する。また、入出力端子をテレビジョン本体の下面に備えるようにしなければならないので、端子位置に制約が生じ、更に端子数が多い場合は薄型モニターには不適当である。
【０００６】
本発明はこのような状況に鑑みてなされたものであり、上記課題を解決できる技術を提供することを目的とする。
【課題を解決するための手段】
【０００７】
本発明の梱包材は、表示装置を移送する際に緩衝材として使用されると共に、表示装置の外部端子の接続作業を補助する接続作業補助部材を備えた梱包材であって、前記接続作業補助部材は、鏡面部材が取り付けられ又は取り付け可能であり、取り付けられた前記鏡面部材を折り曲げて第１反射面と第２反射面を形成するための折り線が設けられ、取り出し可能に設けられた第１部材と、前記第１部材に固定して前記第１部材の折り曲げ角度を所定角度に保持するために取り出し可能に設けられた第２部材と、前記第１部材に前記第２部材が固定された組み立て体を、前記表示装置の裏面に設けられた前記外部端子からの光が前記第１反射面と前記第２反射面により前記表示装置の前面側に反射するように前記表示装置に固定するために取り出し可能に設けられた第３部材と、を備えたことを特徴としている。
また、本発明の梱包材の前記第３部材は、前記表示装置のモニターの前記外部端子が設けられている側の前記モニターの上側角部分に取り付けられ又は取り付け可能である第４部材と、前記第１部材の折り線を挟んで第１面側の前記第１部材の上側部分と、前記第４部材の上側部分に取り付けられ、前記第４部材と前記第１部材を所定距離に保持するために取り出し可能に設けられた第５部材と、前記第１部材の折り線を挟んで第２面側の前記第１部材の上側部分と、前記第４部材の上側部分に取り付けられ、前記第４部材と前記第１部材を所定距離に保持するために取り出し可能に設けられた第６部材と、を備えたことを特徴としている。
また、本発明の梱包材は、前記表示装置に前記第１部材の下側部分を保持するために取り出し可能に設けられた第７部材を備えることを特徴としている。
また、本発明の梱包材の前記第７部材は、前記第１部材の折り線を挟んで前記第１面側の前記第１部材の下側部分と、前記表示装置の下側部分に取り付けられ、前記第１部材を保持するために取り出し可能に設けられた第８部材と、前記第１部材の折り線を挟んで前記第２面側の前記第１部材の下側部分と、前記表示装置の下側部分に取り付けられ、前記第１部材を保持するために取り出し可能に設けられた第９部材と、を備えたことを特徴としている。
また、本発明の梱包材の前記第４部材には、前記第５部材と第６部材を挿入して固定するためのＴ型の溝が設けられていることを特徴としている。
また、本発明の梱包材は、前記表示装置の前記モニターから放出される光が前記第１部材の前記第１反射面と前記第２反射面に反射して前記外部端子を照射するように前記第１部材を折り曲げて形成される第３反射面が設けられ、前記第２反射面と前記第３反射面に固定して前記第２反射面と前記第３反射面との角度を所定角度に保持するために、取り出し可能に設けられた第１０部材を備えたことを特徴としている。
また、本発明の梱包材の前記鏡面部材は、アルミ蒸着の鏡面仕上げシートであることを特徴としている。
また、本発明の梱包材の前記表示装置は、テレビ受信装置であることを特徴としている。
また、本発明の表示装置のモニター表示方法は、鏡台を用いて外部端子にケーブルを接続するときに、設置者を外部端子の位置に対応した位置に誘導する画像を画面に表示する画面表示工程を備えることを特徴としている。
【発明の効果】
【０００８】
本発明によれば、表示装置を壁に寄せて設置または壁に掛けて設置する場合に、表示装置の構造を複雑にすることなく、表示装置の背面に設けられた外部端子にケーブルを容易に接続することができる表示装置の接続作業補助部材を備えた梱包材及びモニター表示方法を提供する。
【図面の簡単な説明】
【０００９】
【図１】本発明の実施形態に係る表示装置が梱包されていた梱包材から鏡台を組み立てる手順を示す図である。
【図２】本発明の実施形態に係る鏡台の設置位置を決定する手順を示す図である。
【図３】本発明の実施形態に係る外部端子にケーブルを接続する作業において設置者の位置に設置者を誘導する手順を示す図である。
【図４】本発明の実施形態に係る設置者が鏡台から外部端子を視認する手順を示す図である。
【図５】本発明の実施形態に係る表示装置から放出される光が外部端子を照らす手順を示す図である。
【図６】本発明の実施形態に係る外部端子が設置されている下側部分のみに反射素材シートを貼り付ける例を示す図である。
【図７】本発明の実施形態に係る表示装置を壁に掛けて設置する場合における鏡台を固定する手順を示す図である。
【発明を実施するための形態】
【００１０】
以下、本発明を実施するための実施形態を、図面を参照して説明する。本発明は、表示装置が梱包されていた梱包材の一部を鏡台として利用するものである。
【００１１】
実施形態においては、表示装置の一例であるテレビジョン放送受信装置（以下、テレビ受信装置という）について説明する。実施形態は、背面に外部端子１１０が設けられたテレビ受信装置１００を床または台などの上に壁に寄せて設置するものである。まず、実施形態におけるテレビ受信装置１００が梱包されていた梱包材２００から鏡台５００を組み立てる手順について図１を用いて説明する。なお、梱包材２００の材質は、厚紙、段ボール、発砲スチロール、または折り曲げることができるプラスチックなどである。図１（１）は、テレビ受信装置１００が梱包されていた梱包材２００を上から見た図である。図１（２）は、テレビ受信装置１００が梱包されていた梱包材２００を正面から見た図である。図１（３）は、梱包材２００から鏡台を組み立てる手順を示す図である。図１（２）に示すように、梱包材２００にはミシン目が入れられ、梱包材２００をミシン目通りに切り取ると角度調整板２１０、取り付け板２２０、取り付け板２３０、及び鏡板２４０が取り出せるようになっている。図１（２）及び（３）に示すように、鏡板２４０の上部には、切り込み２４０ａ、切り込み２４０ｂ、切り込み２４０ｃ、及び切り込み２４０ｄ、鏡板２４０の中央には容易に折り曲げることができる折り線が設けられている。図１（２）及び（３）に示すように、角度調整板２１０には、切り込み２１０ａ、及び切り込み２１０ｂが設けられている。また、図１（２）に示すように取り付け板２２０には切り込み２２０ａが設けられ、取り付け板２３０には切り込み２３０ａが設けられている。鏡板２４０の切り込み２４０ｂ及び切り込み２４０ｃと、角度調整板２１０の切り込み２１０ａ及び切り込み２１０ｂは、鏡板２４０の折り曲げる角度を予め決めた角度に調整できる位置に設けられている。鏡板２４０の切り込み２４０ａ及び切り込み２４０ｂと、取り付け板２２０の切り込み２２０ａと、取り付け板２３０の切り込み２３０ａは、テレビ受信装置１００と鏡板２４０との間隔を予め決めた距離に調整できる位置に設けられている。更に、図１（１）及び（２）に示すように、鏡板２４０の部分にはアルミ蒸着の鏡面仕上げシートなどの反射素材からなるシート（以下、反射素材シートという）３００が貼り付けられている。なお、反射素材シート３００は、開梱してから、設置者により鏡板２４０の部分に貼り付けるようにしてもよい。なお、図１に示す鏡板２４０の下側部分の切り込み２４０ｅ及び切り込み２４０ｆ、取り付け板２７０及びその切り込み２７０ａ、取り付け板２８０及びその切り込み２８０ａは、図７に示すテレビ受信装置１００を壁に掛けて設置する場合における鏡台５００ｂを固定する実施例で使用する。
【００１２】
このような梱包材２００から角度調整板２１０と鏡板２４０をミシン目通りに切り取り、鏡台５００を組み立てるには、まず、切り取られた鏡板２４０を図１（３）に示すように折り線通りに折る。同様に、角度調整板２１０についても、図１（３）に示すように折り線通りに折る。次に、この鏡板２４０と角度調整板２１０から鏡台５００を組み立てる。まず、この鏡板２４０の折り線を中心軸として垂直に立て、鏡板２４０の切り込み２４０ｂに角度調整板２１０の切り込み２１０ａを合わせ、次いで鏡板２４０の切り込み２４０ｃに角度調整板２１０の切り込み２１０ｂを合わせる。このように合わせることで、鏡板２４０の折り曲りの角度が所定の角度「α」となる鏡台５００が組み立てられる。
【００１３】
次に鏡台５００の設置位置を決定する手順について図２を用いて説明する。図２（１）に示すように、テレビ受信装置１００を固定するために使用されていた梱包用の発砲スチロールなどの緩衝材４００に切り込み溝４００ａ、及び切り込み溝４００ｂが設けられている。まず、緩衝材４００を取り出し、図２に示すようにテレビ受信装置１００の外部端子１１０が設けられている側の大画面薄型モニター１２０の上側角部分に取り付ける。次いで、取り付け板２２０の切り込み２２０ａを鏡板２４０の切り込み２４０ａに合わせ、切り込み２２０ａの反対側を緩衝材４００の切り込み溝４００aに差し込む。同様に、取り付け板２３０の切り込み２３０ａを鏡板２４０の切り込み２４０ｄに合わせ、切り込み２３０ａの反対側を緩衝材４００の切り込み溝４００ｂに差し込む。または、緩衝材４００に切り込み溝４００ａ、及び切り込み溝４００ｂを設けるのでなく、取り付け板２２０の切り込み２２０ａの反対側を接着剤や両面テープなどで緩衝材４００に貼り付けるようにしてもよい。同様に、取り付け板２３０の切り込み２３０ａの反対側を接着剤や両面テープなどで緩衝材４００に貼り付けるようにしてもよい。このように取り付け板２２０及び取り付け板２３０を用いて鏡台５００とテレビ受信装置１００の位置を決定することで、設置者６００が最も作業し易い位置に鏡台５００を設置することができる。
【００１４】
次に外部端子１１０にケーブルを接続する設置者６００の位置について図３を用いて説明する。まず、テレビ受信装置１００に電源を投入してリモコンまたはテレビ受信装置１００のボタンからメニューを表示する。次いで、メニューから「設置者位置指定」を選択すると、図３に示すような設置者６００の位置を指定する画面（以下、設置者位置指定画面という）１２１が大画面薄型モニター１２０に表示される。この設置者位置指定画面１２１に表示される画像１２２の前に設置者６００が移動することで、設置者６００は、鏡台５００に映し出される外部端子１１０が最も見易い位置に移動することができる。図３における画像１２２は、設置者の画像となっているが設置者の位置がわかるものであればどのような画像でもよい。
【００１５】
次に設置者６００が鏡台５００によりテレビ受信装置１００の外部端子１１０を視認する手順について、図４を用いて説明する。設置者６００が図２に示す手順により鏡台５００を設置すると、外部端子１１０の像が鏡台５００の反射素材シート３００のＡ面に映し出され、Ａ面に映し出された外部端子１１０の像が更にＢ面に映し出される。設置者６００自身が図３に示す手順により移動することで、この反射素材シート３００のＢ面に映し出される外部端子１１０の像を視認することができる。つまり、設置者は、図４の視認ルート１０に示すルートで外部端子１１０を視認することができる。また、外部端子１１０の像は反射素材シート３００のＡ面とＢ面により２回反射されるので、外部端子１１０に文字が付されている場合でも反転せずに元の文字の像に戻るため、設置者６００は外部端子１１０の付されている文字の形のままで読むことかできる。
【００１６】
次に、テレビ受信装置１００の電源を投入したときに画面から放出される光によりテレビ受信装置１００の裏面に設けられた外部端子１１０を照らす手順について、図５を用いて説明する。テレビ受信装置１００が放出する光が外部端子１１０を照らすようにするためには、Ａ面と略平行となるように鏡板２４０を折り曲げて形成されるＣ面が設けられた図５に示すような鏡台５００ａを設置する。鏡板２４０のＢ面とＣ面の角度調整は、鏡板２４０の下側から取り付ける角度調整板２６０を用いて、鏡板２４０の広角を角度調整板２１０により調整したときと同様の手順で行う。この角度調整板２６０により、画面から放出される光が外部端子１１０を照らし、また、外部端子１１０を照らした光が設置者６００に反射するように鏡板２４０のＢ面とＣ面の角度を調整することができる。また、光反射用鏡板２４０のＣ面は、光反射用鏡板２４０のＡ面とＢ面より高さを少し低くすることで、設置者６００は反射素材シート３００のＢ面に映し出される外部端子１１０の像をより視認しやすくなる。図には示していないが角度調整板２６０は、角度調整板２１０、取り付け板２２０、取り付け板２３０、及び鏡板２４０と同様に梱包材２００をミシン目通りに切り取ることで取り出せるように梱包材の一部に含まれている。このような構造の鏡台５００ａにおいて、テレビ受信装置１００の大画面薄型モニター１２０から放出される光は、図５の光ルート２０に示すように、光反射用鏡板２４０のＣ面、Ｂ面、及Ａ面に反射して外部端子１１０を照らすことができる。また、外部端子１１０を照らす光が弱いときには、テレビ受信装置１００の輝度を明るくするように調整することで外部端子１１０を照らす光を強くすることができる。
【００１７】
なお、実施形態は、背面に外部端子１１０が設けられたテレビ受信装置１００と鏡台５００を床または台などの上に壁に寄せて設置し、テレビ受信装置の底面と鏡台５００の底面が同じ高さになるようにするものであるが、テレビ受信装置１００を壁に掛けて設置する場合には、図７（１）に示すように、緩衝材４１０にＴ型切り込み溝４１０ａ、及びＴ型切り込み溝４１０ｂを設け、図１（２）及び（３）に示すように鏡板２４０の下部にも切り込み２４０ｅ、及び２４０ｆを設けるようにする。また、取り付け板２２０と取り付け板２３０を図７（２）の左図に示す取り付け板２２１と取り付け板２３１に変更する。取り付け板２２１には、中央の折り線、切り込み２２１ａ、切り込み２２１ｂ、及び折り線２２１cを設ける。同様に、取り付け板２３１には、中央の折り線、切り込み２３１ａ、切り込み２３１ｂ、及び折り線２３１cを設ける。更に、図１（２）に示すように切り込み２７０ａが設けられた取り付け板２７０、及び切り込み２８０ａが設けられた取り付け板２８０を設けるようにする。取り付け板２２１及び取り付け板２３１は、角度調整板２１０、鏡板２４０、取り付け板２７０、及び取り付け板２８０と同様に梱包材２００をミシン目通りに切り取ることで取り出せるように梱包材の一部に含まれている。このような鏡台５００ｂにおいて、まず、緩衝材４１０を取り出し、図７（３）に示すようにテレビ受信装置１００の外部端子１１０が設けられている側の大画面薄型モニター１２０の上側角部分に取り付ける。次いで、取り付け板２２１の中央の折り線に沿って曲げ、取り付け板２２１の切り込み２２１ａを鏡板２４０の切り込み２４０ａに合わせ、切り込み２２１ｂの両端を折り線２２１cに沿って折り曲げ、折り曲げた両端を緩衝材４１０のＴ型切り込み溝４１０aに合わせて差し込む。同様に、取り付け板２３１の中央の折り線に沿って曲げ、取り付け板２３１の切り込み２３１ａを鏡板２４０の切り込み２４０ｄに合わせ、切り込み２３１ｂの両端を折り線２３１cに沿って折り曲げ、折り曲げた両端を緩衝材４１０のＴ型切り込み溝４１０ｂに合わせて差し込む。図７（２）の右図に、取り付け板２２１がＴ型切り込み溝４１０ａに取り付けられたときの形状、取り付け板２３１がＴ型切り込み溝４１０ｂ取り付けられたときの形状を示す。次いで、取り付け板２７０の切り込み２７０ａを鏡板２４０の切り込み２４０ｅに合わせ、切り込み２７０ａの反対側をテレビ受信装置１００の下側部分に接着テープなどで貼り付ける。同様に、取り付け板２８０の切り込み２８０ａを鏡板２４０の切り込み２４０ｆに合わせ、切り込み２８０ａの反対側をテレビ受信装置１００の下側部分に接着テープなどで貼り付ける。このような緩衝材４１０にＴ型切り込み溝４１０ａ、及びＴ型切り込み溝４１０ｂを設け、更に取り付け板２２１、取り付け板２３１、取り付け板２７０、及び取り付け板２８０により鏡台５００ｂを支えることができるので、テレビ受信装置１００を壁に掛けて設置する場合でも鏡台５００ｂを用いることができる。
【００１８】
以上の実施形態により、梱包材２００をミシン目通りに切り取り、折り線通りに折ることで、鏡台５００、鏡台５００ａ、または鏡台５００ｂを誰もが容易に組み立てることができる。また、テレビ受信装置１００を固定して梱包するために使用されていた緩衝材４００を使用することで、鏡台５００、鏡台５００ａ、または鏡台５００ｂを設置者６００が最も作業し易い位置に設置することができる。更に、設置者位置指定画面１２１に表示される画像１２２により、設置者６００を鏡台５００、鏡台５００ａ、または鏡台５００ｂに映し出される外部端子１１０が最も見易い位置に誘導することができる。また、外部端子１１０の像は反射素材シート３００により２回反射されることで、外部端子１１０の付されている文字が１回目の反射で反転するが、２回目の反射で更に反転することで元に戻るので、予め反転させた文字を外部端子１１０に付す必要がない。また、鏡台５００ａのようにテレビ受信装置１００の大画面薄型モニター１２０の前に更に光反射用鏡板２４０のＣ面を設けることで、外部端子１１０をテレビ受信装置１００の大画面薄型モニター１２０から放出される光で照らすようにすることができる。
【００１９】
尚、実施形態においては、図１（２）に示すように鏡板２４０の広い範囲に反射素材シート３００を貼り付けるようにしたが、図６示すように外部端子１１０が設置されている下側部分のみに反射素材シート３００を貼り付けるようにすることも可能である。また、実施形態において、梱包材２００に図１（２）に示す破線の通りにミシン目を入れるのではなく、角度調整板２１０、取り付け板２２０、取り付け板２３０、及び鏡板２４０が取り出せるのであれば、このミシン目の線に限定されない。更に、角度調整板２１０、取り付け板２２０、取り付け板２３０、及び鏡板２４０などの各部品を梱包材２００から切り取るのでなく、各部品をテレビ受信装置１００が梱包された箱の中に入れておくようにしてもよい。また、実施形態においては、図３に示すように設置者位置指定画面１２１をテレビ受信装置１００の大画面薄型モニター１２０に表示することで、設置者６００を最適な位置に誘導するようにしたが、これに限定されない。例えば設置者位置を示すシールなどの目印をテレビ受信装置１００の大画面薄型モニター１２０に貼り付け、設置者６００がその目印などの前に移動することで、設置者６００を鏡台５００、鏡台５００ａ、または鏡台５００ｂに映し出される外部端子１１０が最も見易い位置に誘導することができる。そして設置者６００が移動した後に、この目印のシールを剥がすようにする。また、実施形態において、図６に示すように外部端子１１０に複数のコネクタが設けられている場合には、外部端子１１０の各コネクタ毎に設置者位置指定画面１２１を用意する。そして、設置者６００が外部端子１１０の各々のコネクタにケーブルを接続する作業を行うときには、外部端子１１０のコネクタに対応する設置者位置指定画面１２１を表示する。次いで、設置者６００が設置者位置指定画面１２１に表示される画像１２２の前に移動する。このように、鏡台５００、鏡台５００ａ、または鏡台５００ｂに映し出される外部端子１１０のコネクタが最も見易い位置に設置者６００を誘導することができる。また、実施形態においては、テレビ受信装置１００の大画面薄型モニター１２０について説明したがこれに限定されず、電子黒板などのあらゆる表示装置に適用することができる。
【００２０】
このような本実施形態により、表示装置の接続作業補助部材を備えた梱包材を用いることで、表示装置を壁に寄せて設置する場合、または壁に掛けて設置する場合でも、表示装置の構造を複雑にすることなく、表示装置の背面に設けられた外部端子に設置者は前面から外部端子を視認しながらケーブルを容易に接続することができる。
【００２１】
以上、本発明の実施形態をもとに説明した。この実施形態は例示であり、それらの各構成要素の組み合わせにいろいろな変形例が可能なこと、またそうした変形例も本発明の範囲にあることは当業者に理解されるところである。例えば、反射素材シート３００は外部端子１１０が反射して見えればよいので、鏡板２４０の一部分に貼り付ければよく、また、長方形に限ることはない。
【符号の説明】
【００２２】
１０・・・・・・・・視認ルート
２０・・・・・・・・光ルート
１００・・・・・・・・テレビ受信装置
１１０・・・・・・・・外部端子
１２０・・・・・・・・大画面薄型モニター
１２１・・・・・・・・設置者位置指定画面
１２２・・・・・・・・画像
２００・・・・・・・・梱包材
２１０・・・・・・・・角度調整板（第２部材）
２１０ａ・・・・・・・切り込み
２１０ｂ・・・・・・・切り込み
２２０・・・・・・・・取り付け板（第３部材に含まれる第５部材）
２２０ａ・・・・・・・切り込み
２２１・・・・・・・・取り付け板
２２１ａ・・・・・・・切り込み
２２１ｂ・・・・・・・切り込み
２２１ｃ・・・・・・・折り線
２３０・・・・・・・・取り付け板（第３部材に含まれる第６部材）
２３０ａ・・・・・・・切り込み
２３１・・・・・・・・取り付け板
２３１ａ・・・・・・・切り込み
２３１ｂ・・・・・・・切り込み
２３１ｃ・・・・・・・折り線
２４０・・・・・・・・鏡板（第１部材）
２４０ａ・・・・・・・切り込み
２４０ｂ・・・・・・・切り込み
２４０ｃ・・・・・・・切り込み
２４０ｄ・・・・・・・切り込み
２４０ｅ・・・・・・・切り込み
２４０ｆ・・・・・・・切り込み
２６０・・・・・・・・角度調整板（第１０部材）
２７０・・・・・・・・取り付け板（第７部材に含まれる第８部材）
２８０・・・・・・・・取り付け板（第７部材に含まれる第９部材）
３００・・・・・・・・反射素材シート（鏡面部材）
４００・・・・・・・・緩衝材（第３部材に含まれる第４部材）
４００ａ・・・・・・・切り込み溝
４００ｂ・・・・・・・切り込み溝
４１０・・・・・・・・緩衝材
４１０ａ・・・・・・・Ｔ型切り込み溝
４１０ｂ・・・・・・・Ｔ型切り込み溝
５００・・・・・・・・鏡台
５００ａ・・・・・・・鏡台
５００ｂ・・・・・・・鏡台
６００・・・・・・・・設置者
【図１】
2013203463.tif 000003
【図２】
2013203463.tif 000004
【図３】
2013203463.tif 000005
【図４】
2013203463.tif 000006
【図５】
2013203463.tif 000007
【図６】
2013203463.tif 000008
【図７】
2013203463.tif 000009